(57)【要約】      （修正有）【課題】機器内のデバイスの配置の自由度を高めて効率的な冷却を行うことが可能となり、機器の電源スイッチのオン／オフの操作が容易で、配線をシンプルにすることができる電子機器を提供する。【解決手段】パーソナルコンピュータ１００では、メインユニット２００に発熱量の大きく、ユーザの直接手に触れることがほとんどないデバイスを配置し、アクセスユニット３００には発熱量が小さく、ユーザのアクセスの頻度の大きな着脱可能な記録媒体のドライブ装置を配置し、しかもメインユニット２００とアクセスユニット３００の両方に電源スイッチを設けたので、パーソナルコンピュータ１００内のデバイスの配置の自由度を高めて効率的な冷却を行うことが可能となり、パーソナルコンピュータ１００の電源のオン／オフの操作が容易となる。【選択図】図１
2008090569.tif 000002
【特許請求の範囲】
【請求項１】
データ処理部、ハードディスクドライブ装置、電源供給部及び当該電子機器をオン／オフするための第１の電源スイッチを有する第１のユニットと、
前記第１のユニットと分離し、前記第１のユニットの電源供給部から電力が供給され、着脱可能な記録媒体のドライブ装置及び前記第１の電源スイッチと同一機能の第２の電源スイッチを有する第２のユニットと、
前記第１のユニットと第２のユニットとを間でデータのやり取り及び前記第１のユニットの電源供給部から前記第２のユニットへの電力の供給を行うためのケーブルと
を具備することを特徴とする電子機器。
【請求項２】
請求項１に記載の電子機器において、
前記第１のユニットは、前記データ処理部が搭載された第１の領域と前記ハードディスクドライブ装置及び前記電源供給部が搭載された第２の領域とに分離されている
ことを特徴とする電子機器。
【請求項３】
請求項２に記載の電子機器において、
前記第１の電源スイッチは、前記第１のユニットの第１の表面に設けられ、前記ハードディスクドライブ装置は、前記第１の表面側から取り付け及び取り外しが可能である
ことを特徴とする電子機器。
【請求項４】
請求項３に記載の電子機器において、
前記第２の領域には、前記第１の表面側から着脱可能な蓋を有し、前記ハードディスクドライブ装置を複数収容するケースが配置され、前記ケースと前記第１のユニットの第１の表面の反対面の第２の表面との間に前記電源供給部が配置され、
前記ケースの前記第１の領域との間の部材及び前記電源供給部と前記第１の領域との間に配置された遮蔽部材により、前記第１の領域と前記第２の領域とが遮蔽されている
ことを特徴とする電子機器。
【請求項５】
請求項４に記載の電子機器において、
前記第１の領域には、前記第１の表面側に冷却用の少なくとも１つの第１のファンが配置され、前記第２の表面側に排気口が設けられ、
前記第２の領域には、前記電源供給部に冷却用の第２のファンが配置されて第２の表面側から排気され、前記ケースの第１の表面側から吸気される
ことを特徴とする電子機器。
【請求項６】
請求項５に記載の電子機器において、
前記第１の領域の温度を検出する第１の温度検出手段と、
前記第２の領域の温度を検出する第２の温度検出手段と、
前記第１及び第２の温度検出手段による検出結果に基づいて前記第１及び第２のファンの回転数を制御する制御手段と
を更に具備することを特徴とする電子機器。
【請求項７】
請求項５に記載の電子機器において、
前記第１の領域における前記電源供給部と隣接する第３の領域には、拡張ボードが配置可能であり、
前記第１のファンから吸気された気体が前記第３の領域を通過して前記第２の領域の電源供給部に配置された第２のファンにより排気されるように、前記遮蔽部材に複数の孔が設けられている
ことを特徴とする電子機器。
【請求項８】
請求項７に記載の電子機器において、
前記第１のファンは、主として前記データ制御部に冷却用の気体を送るためのファンと、主として前記第３の領域に冷却用の気体を送るためのファンとを有することを特徴とする電子機器。
【請求項９】
請求項１に記載の電子機器において、
前記第２のユニットの第３の表面には、前記ドライブ装置の記録媒体の出し入れをするためのインターフェース部及び前記第２の電源スイッチが配置されていることを特徴とする電子機器。
【請求項１０】
データ処理部が搭載された第１の領域と、
ハードディスクドライブ装置及び電源供給部が搭載された第２の領域と、
前記第１の領域と前記第２の領域とを遮蔽する遮蔽部材と、
前記第１の領域を冷却するため第１の冷却手段と、
前記第２の領域を冷却するための第２の冷却手段と
を具備することを特徴とする電子機器。
【請求項１１】
請求項１０に記載された電子機器において、
前記第１の領域の温度を検出するための第１の温度検出手段と、
前記第２の領域の温度を検出するための第２の温度検出手段と、
前記第１及び第２の温度検出手段による検出結果に基づいて、前記第１及び第２の冷却手段の冷却能力を制御する制御手段と
を更に具備することを特徴とする電子機器。
【請求項１２】
データ処理部、ハードディスクドライブ装置及び電源供給部を有する第１のユニットと着脱可能な記録媒体のドライブ装置を有する第２のユニットとに分離し、
前記第１のユニットを前記データ処理部が搭載された第１の領域と前記ハードディスクドライブ装置及び前記電源供給部が搭載された第２の領域とに分離して遮蔽し、
前記第１の領域と前記第２の領域とをそれぞれ別個に冷却制御する
ことを特徴とする電子機器の冷却方法。
【発明の詳細な説明】
【技術分野】
【０００１】
本発明は、例えばパーソナルコンピュータに代表されるデータ処理部やデータ記録部を有する電子機器及びそのような電子機器の内部を冷却する方法に関する。
【背景技術】
【０００２】
従来から、パーソナルコンピュータでは、データを記録する手段として主としてハードディスクドライブ装置が用いられてきたが、最近ではＣＤ（Ｃｏｍｐａｃｔ  Ｄｉｓｃ）やＤＶＤ（Ｄｉｇｉｔａｌ  Ｖｉｄｅｏ  Ｄｉｓｃ）、可搬タイプのフラッシュメモリカードなどの着脱可能な記録媒体も汎用されるようになってきた。
【０００３】
一般に、着脱可能な記録媒体を使用可能とするために、パーソナルコンピュータ内にそのためのドライブ装置を内蔵することが多い。特に、最近のパーソナルコンピュータは２つの光学式ドライブ装置を搭載し、更に様々な種類の可搬タイプのフラッシュメモリカードに対応するドライブ装置を搭載することもある。
【０００４】
ある程度ユニットの大きさが制約された中でそのような複数のドライブ装置をパーソナルコンピュータ内に内蔵させようとすると、パーソナルコンピュータ内が集積化され、パーソナルコンピュータ内における設計の自由度が制限され、デバイスの配置がかなり制限される。
【０００５】
一方、パーソナルコンピュータの処理の高速化に伴い、発熱量が非常に大きくなってきており、そのため効率的に冷却することが要求されているが、上記のようにパーソナルコンピュータ内におけるデバイスの配置が制限されると、効率的に冷却するための設計が非常に困難になってくる。
【０００６】
そこで、例えばドライブ装置をパーソナルコンピュータ外のいわゆる外付けタイプにすることが考えられる。これにより、パーソナルコンピュータ内のデバイスの数を減らすことができ、パーソナルコンピュータ内のデバイスの配置の自由度を高め、効率的な冷却を行うための設計も可能となる（例えば、特許文献１参照。）。  
【特許文献１】特開２００３−０２９８８５号公報（図１〜図３）
【発明の開示】
【発明が解決しようとする課題】
【０００７】
しかしながら、複数のドライブ装置を外付けにした場合には、パーソナルコンピュータと各ドライブ装置との間の配線や各ドライブ装置に対する電源供給のための配線が非常に煩雑になる、という問題がある。
【０００８】
また、いわゆるデスクトップ型と呼ばれるパーソナルコンピュータでは、パーソナルコンピュータ本体に対するユーザのアクセスの頻度は各ドライブ装置に対するユーザのアクセスの頻度に比べて低いため、またパーソナルコンピュータ本体の筐体が通常大きいため、パーソナルコンピュータ本体はユーザから離れた位置の、例えば机の下などに置かれることが多いが、そうするとパーソナルコンピュータ本体へのアクセスが大変になり、パーソナルコンピュータの電源スイッチのオン／オフが非常に不便である、という問題もある。
【０００９】
以上のような事情に鑑み、本発明の目的は、機器内のデバイスの配置の自由度を高めて効率的な冷却を行うことが可能となり、機器の電源スイッチのオン／オフの操作が容易で、配線をシンプルにすることができる電子機器及び電子機器の冷却方法を提供することにある。
【課題を解決するための手段】
【００１０】
上記の目的を達成するため、本発明に係る電子機器は、データ処理部、ハードディスクドライブ装置、電源供給部及び当該電子機器をオン／オフするための第１の電源スイッチを有する第１のユニットと、前記第１のユニットと分離し、前記第１のユニットの電源供給部から電力が供給され、着脱可能な記録媒体のドライブ装置及び前記第１の電源スイッチと同一機能の第２の電源スイッチを有する第２のユニットと、前記第１のユニットと第２のユニットとを間でデータのやり取り及び前記第１のユニットの電源供給部から前記第２のユニットへの電力の供給を行うためのケーブルとを具備する。
【００１１】
本発明では、電子機器を第１及び第２のユニットの２つに分離し、第１のユニットに発熱量の大きく、ユーザのアクセスの頻度の少ないデバイスを配置し、第２のユニットには発熱量が小さく、ユーザのアクセスの頻度の大きな着脱可能な記録媒体のドライブ装置を配置し、しかも第１及び第２のユニットの両方に電源スイッチを設けたので、機器内のデバイスの配置の自由度を高めて効率的な冷却を行うことが可能となり、機器の電源スイッチのオン／オフの操作が容易となる。また、第２のユニットは第１のユニットの電源供給部から電力が供給されようにし、例えば１本のケーブルで、第１のユニットと第２のユニットとを間でデータのやり取り及び第１のユニットの電源供給部から第２のユニットへの電力の供給を行うようにしたので、配線をシンプルにすることができる。
【００１２】
本発明は、前記第１のユニットは、前記データ処理部が搭載された第１の領域と前記ハードディスクドライブ装置及び前記電源供給部が搭載された第２の領域とに分離されていることを特徴としてもよい。
【００１３】
本発明では、第１のユニットを、第１の領域と第２の領域とに分離することで、領域に応じてそれぞれ別個の冷却制御が可能となり、より効率的に冷却を行うこと可能となる。
【００１４】
本発明は、前記第１の電源スイッチは、前記第１のユニットの第１の表面に設けられ、前記ハードディスクドライブ装置は、前記第１の表面側から取り付け及び取り外しが可能であることを特徴とする。
【００１５】
本発明では、ハードディスクドライブ装置の取り付け及び取り外しをユーザが最もアクセスする面（電源スイッチが設けられた面）から行うことができるので、取り付け及び取り外しの作業が容易である。
【００１６】
本発明は、前記第２の領域には、前記第１の表面側から着脱可能な蓋を有し、前記ハードディスクドライブ装置を複数収容するケースが配置され、前記ケースと前記第１のユニットの第１の表面の反対面の第２の表面との間に前記電源供給部が配置され、前記ケースの前記第１の領域との間の部材及び前記電源供給部と前記第１の領域との間に配置された遮蔽部材により、前記第１の領域と前記第２の領域とが遮蔽されていることを特徴とする。
【００１７】
本発明では、前記第１の領域と前記第２の領域とを遮蔽部材により遮蔽しているので、第１の領域と第２の領域との間での熱的な影響は少なくなり、各領域での温度制御（冷却制御）をより細やかに行うことが可能となる。
【００１８】
本発明は、前記第１の領域には、前記第１の表面側に冷却用の少なくとも１つの第１のファンが配置され、前記第２の表面側に排気口が設けられ、前記第２の領域には、前記電源供給部に冷却用の第２のファンが配置されて第２の表面側から排気され、前記ケースの第１の表面側から吸気されることを特徴とする。
【００１９】
本発明では、第１の領域と第２の領域とをそれぞれ別個のファンで冷却することにより、より細やかな温度制御が可能となる。特に、第２の領域では、発熱量の多い電源供給部に冷却用の第２のファンを配置したので、冷却をより効率的に行うことが可能である。
【００２０】
本発明は、前記第１の領域の温度を検出する第１の温度検出手段と、前記第２の領域の温度を検出する第２の温度検出手段と、前記第１及び第２の温度検出手段による検出結果に基づいて前記第１及び第２のファンの回転数を制御する制御手段とを更に具備することを特徴とする。
【００２１】
本発明では、それぞれの領域の温度を別個に検出し、この検出結果に基づきそれぞれ領域のファンの回転数を制御しているので、より効率的で細やかな冷却制御を行うことが可能となる。
【００２２】
本発明は、前記第１の領域における前記電源供給部と隣接する第３の領域には、拡張ボードが配置可能であり、前記第１のファンから吸気された気体が前記第３の領域を通過して前記第２の領域の電源供給部に配置された第２のファンにより排気されるように、前記遮蔽部材に複数の孔が設けられていることを特徴とする。
【００２３】
本発明では、拡張ボード側にも冷却気体が流れるようにしたので、拡張ボードについてもより効率的に冷却することができる。
【００２４】
本発明は、前記第１のファンは、主として前記データ制御部に冷却用の気体を送るためのファンと、主として前記第３の領域に冷却用の気体を送るためのファンとを有することを特徴とする。
【００２５】
本発明では、拡張ボードが配置された第３の領域にも別個にファンを設けたので、拡張ボードについてより効率的に冷却することができ、更に全体としてより細やかな冷却制御を行うことが可能となる。
【００２６】
本発明は、前記第２のユニットの第３の表面には、前記ドライブ装置の記録媒体の出し入れをするためのインターフェース部及び前記第２の電源スイッチが配置されていることを特徴とする。
【００２７】
本発明では、第２のユニットにおいて記録媒体の出し入れと電源のオン／オフを同一の面から行うことができるので、操作性が非常によい。
【００２８】
本発明の別の観点に係る電子機器は、データ処理部が搭載された第１の領域と、ハードディスクドライブ装置及び電源供給部が搭載された第２の領域と、前記第１の領域と前記第２の領域とを遮蔽する遮蔽部材と、前記第１の領域を冷却するため第１の冷却手段と、前記第２の領域を冷却するための第２の冷却手段とを具備する。
【００２９】
本発明では、２つの領域に分けてこれらの領域を遮蔽部材で遮蔽し、それぞれを別個に冷却しているので、より効率的で精密に冷却制御を行うこと可能となる。
【００３０】
本発明は、前記第１の領域の温度を検出するための第１の温度検出手段と、前記第２の領域の温度を検出するための第２の温度検出手段と、前記第１及び第２の温度検出手段による検出結果に基づいて、前記第１及び第２の冷却手段の冷却能力を制御する制御手段とを更に具備することを特徴とする。
【００３１】
本発明では、それぞれの領域の温度を別個に検出し、この検出結果に基づきそれぞれ領域の冷却能力を制御しているので、より効率的で細やかな冷却制御を行うことが可能となる。
【００３２】
本発明の更に別の観点に係る電子機器の冷却方法は、データ処理部、ハードディスクドライブ装置及び電源供給部を有する第１のユニットと着脱可能な記録媒体のドライブ装置を有する第２のユニットとに分離し、前記第１のユニットを前記データ処理部が搭載された第１の領域と前記ハードディスクドライブ装置及び前記電源供給部が搭載された第２の領域とに分離して遮蔽し、前記第１の領域と前記第２の領域とをそれぞれ別個に冷却制御することを特徴とする。
【００３３】
本発明では、２つの領域に分けてこれらの領域を遮蔽部材で遮蔽し、それぞれを別個に冷却しているので、より効率的で精密に冷却制御を行うこと可能となる。
【発明の効果】
【００３４】
以上のように、本発明によれば、機器内のデバイスの配置の自由度を高めて効率的な冷却を行うことが可能となり、機器の電源スイッチのオン／オフの操作が容易で、配線をシンプルにすることができる。
【発明を実施するための最良の形態】
【００３５】
以下、本発明の実施の形態を図面に基づき説明する。    
図１は本発明の一実施形態に係るパーソナルコンピュータの構成を示すブロック図である。
【００３６】
図１に示すように、このパーソナルコンピュータ１００は、第１のユニットとしてのメインユニット２００と、第２のユニットとしてのアクセスユニット３００と、これらメインユニット２００とアクセスユニット３００とを接続するためのケーブル４００とを有する。このパーソナルコンピュータ１００では、メインユニット２００とアクセスユニット３００とが物理的に分離し、メインユニット２００とアクセスユニット３００とがケーブル４００を介して電気的に接続されている。
【００３７】
メインユニット２００は、ＣＰＵなどが搭載されたデータ処理部としてのマザーボード２１０と、ハードディスクドライブ装置２２１〜２２４（図示されていないが主として４台）と、パーソナルコンピュータ１００を構成する各部に電力を供給するための電源供給部２３０と、パーソナルコンピュータ１００をオン／オフ／スタンバイモードとするための第１の電源スイッチ２４０とを有する。
【００３８】
マザーボード２１０には、第１の電源スイッチ２４０と後述するアクセスユニット３００側の第２の電源スイッチとを同一の機能とするための、つまり第２の電源スイッチもパーソナルコンピュータ１００をオン／オフ／スタンバイモードとするための電源スイッチとして機能させるためのシステム電源コントロール回路２１１を有する。
【００３９】
電源供給部２３０は、メインユニット２００の各部ばかりでなく、ケーブル４００を介してアクセスユニット３００の各部へも電力を供給している。
【００４０】
アクセスユニット３００は、ＣＤやＤＶＤなどの光学的記録媒体が着脱自在で光学的記録媒体からのデータの読み出し及び光学的記録媒体へのデータの書き込みを行うためのドライブ装置としての光ディスクドライブ装置３１１、３１２（図示されていないが２台）と、ＩＥＥＥ１３９４ポート３２０と、ＵＳＢポート３３１〜３３４（図示されていないが４個）と、各種の可搬タイプのフラッシュメモリカードからのデータの読み出し及びフラッシュメモリカードへのデータの書き込みを行うためのマルチカードリーダ３４０（ドライブ装置の一つ）と、ＰＣＭＣＩＡカードからのデータの読み出し及びＰＣＭＣＩＡカードへのデータの書き込みを行うためのＰＣＭＣＩＡカードバス３５０（ドライブ装置の一つ）と、マイク端子３６１及びヘッドホン端子３６２と、パーソナルコンピュータ１００をオン／オフ／スタンバイモードとするための第２の電源スイッチ３７０とを有する。
【００４１】
光ディスクドライブ装置３１１、３１２はＳＡＴＡ／ＰＡＴＡコントローラ３１３を介して、ＩＥＥＥ１３９４ポート３２０は１３９４コントローラ３２１を介して、ＵＳＢポート３３１〜３３４及びマルチカードリーダ３４０はＵＳＢコントローラ３２５を介して、ＰＣＭＣＩＡカード３５０はＰＣＭＣＩＡカードバスコントローラ３５１を介して、メインユニット２００のマザーボード２１０と接続される。
【００４２】
モニタ５０１及びスピーカ５０２は、メインユニット２００に接続され、キーボード５０３及びマウス５０４は、ＵＳＢポート３３１〜３３４を介してメインユニット２００及びアクセスユニット３００のいずれにも接続可能である。
【００４３】
図２は図１に示したメインユニット２００の内部構成を示す平面図、図３はメインユニット２００の正面図である。    
図２に示すように、メインユニット２００は、平面からみて左右に領域が分かれている。ここで、メインユニット２００の正面から見て左側の領域を第１の領域２５１、メインユニット２００の正面から見て右側の領域を第２の領域２５２とする。
【００４４】
第１の領域２５１には、マザーボード２１０が底部に配置され、第２の領域２５２の電源供給部２３０と隣接する領域２５３には、拡張ボード２５４が最大４枚配置可能である。拡張ボード２５４は、マザーボード２１０の拡張ボード用のソケット（図示せず）に挿入されマザーボード２１０から立てた状態で配置される。そして、メインユニット２００の背面側に拡張ボード２５４の外部とのインターフェース面が露出するようになっている。
【００４５】
第１の領域２５１の正面側には、２つの冷却用のファン２５５、２５６が配置されている。ファン２５５は、主としてマザーボード２１０を冷却するためのファンであり、ファン２５６は、主として拡張ボード２５４を冷却するためのファンである。この実施形態では、ファン２５５の方がファン２５６よりも大きく、より多くの熱を発生するＣＰＵを搭載するマザーボード２１０の方の冷却能力が高められている。第１の領域２５１の背面側は、多数の孔が設けられた板金からなり（図示を省略）、この孔が実質的に第１の領域２５１における排気口である。
【００４６】
なお、第１の領域２５１の背面側左隅上部には、ハードディスクドライブ装置２５７が上部から吊り下げられるように２台上下に重ねて搭載可能とされている。
【００４７】
第２の領域２５２では、第２の領域２５２の正面側にハードディスクドライブ装置２２１〜２２４を収容するケース２６０が配置され、第２の領域２５２の背面側に電源供給部２３０が配置されている。
【００４８】
ケース２６０は、図４に示すように、上下左右を複数の孔が設けられた板金で囲まれ正面側と背面側が開口するケース本体２６１と、ケース本体２６１の正面側の開口に着脱可能に設けられ、複数の孔（実質的に第２の領域２５２における吸気口）が設けられた板金からなる蓋２６２とを有する。このケース２６０内にハードディスクドライブ装置２２１〜２２４が立てた状態でスライドして収容し、ハーネス（図示せず）により接続する。従って、このパーソナルコンピュータ１００では、メインユニット２００の正面側からハードディスクドライブ装置２２１〜２２４の着脱が可能である。
【００４９】
第２の領域２５２の背面側に配置された電源供給部２３０の上部には、冷却用のファン２６３が設けられている。冷却用のファン２６３は、電源供給部２３０内に気体を吸引する。電源供給部２３０内に吸引された気体は、メインユニット２００の背面側から排出される。
【００５０】
電源供給部２３０が配置された空間は、例えばＰＥＴからなる遮蔽部材２６４により覆われている。遮蔽部材２６４は、例えば電源供給部２３０が配置された空間の上部及び第１の領域２５１とを仕切る部材である。遮蔽部材２６４は、第１の領域２５１側の上部で第１の領域２５１側の拡張ボード２５４に対応する位置に多数の孔２６５が設けられている。この孔２６５は、冷却ファン２６３が第１の領域２５１側から気体を引き込むためのものである。これにより、拡張ボード２５４を補助的に冷却することが可能である。また、遮蔽部材２６４の下部の所定の位置には第１の領域２５１側からハーネス（図示せず）を通すための孔（切欠き）２６６が設けられている。
【００５１】
以上のケース２６０の第１の領域２５１側の壁及び遮蔽部材２６４の第１の領域２５１側の壁により、第１の領域２５１と第２の領域２５２とが遮蔽されている。これにより、第１の領域２５１と第２の領域２５２とをそれぞれ個別的に冷却制御をすることができる。すなわち、より細やかな冷却制御を行うことができ、冷却効率の向上及びファンの騒音の低減を図ることができる。
【００５２】
図３に示すように、メインユニット２００の正面の第１の領域２５１側には、その下部にＩＥＥＥ１３９４ポート２７１、４つのＵＳＢポート２７２〜２７５、ＲＣＡ端子２７６〜２７８、Ｓ−ＶＩＤＥＯ端子２７９が水平方向に順番に配置され、その中段の左端側（第２の領域２５２とは反対側）に第１の電源スイッチ２４０が配置されている。
【００５３】
図５に示すように、メインユニット２００の正面の第１の領域２５１に対応する表面には、縦方向に冷却用の気体を内部に導入するための縦孔２８１が多数設けられたプラスチック製のカバー２８０が配置されている。メインユニット２００の正面の第２の領域２５２に対応する表面には、プラスチック製のカバー２８２が着脱可能に配置されている。
【００５４】
カバー２８２は、例えばカバー２８２の右端（第１の領域２５１とは反対側）裏面の上下に設けられた突起部（図示せず）がメインユニット２００の対応する位置に設けられた穴（図示せず）に係合し、カバー２８０のカバー２８２と隣接する位置に設けられたスライドスイッチ（図示せず）がカバー２８２側に突出することで、カバー２８２がメインユニット２００に固定されるようになっている。カバー２８２を外し、図４に示したように蓋２６２を外すことで、ハードディスクドライブ装置２２１〜２２４をメインユニット２００の正面から出し入れできる。
【００５５】
メインユニット２００の正面には、その正面全体を覆うカバー２８３が着脱可能に配置されている。カバー２８３の裏面の左右の上下には、それぞれ突起部（図示せず）がメインユニット２００の対応する位置に設けられた穴（図示せず）に係合することで、カバー２８３がメインユニット２００に固定されるようになっている。
【００５６】
カバー２８３は、その上下に傾斜面２８４、２８５を有し、各傾斜面２８４、２８５には、ＩＥＥＥ１３９４ポート２７１、ＵＳＢポート２７２〜２７５、ＲＣＡ端子２７６〜２７８、Ｓ−ＶＩＤＥＯ端子２７９にアクセス可能とするため、及び気体を流通可能とするための孔２８６、２８７がそれぞれ３つ設けられている。
【００５７】
カバー２８３の第１の電源スイッチ２４０に対応する位置には、電源スイッチ２８８が設けられている。電源スイッチ２８８は、カバー２８３の裏面で第１の電源スイッチ２４０に当接する突起部（図示を省略）を有し、電源スイッチ２８８を押すことで突起部が第１の電源スイッチ２４０に当接して第１の電源スイッチ２４０が押される。
【００５８】
図６は図１に示したアクセスユニット３００の内部構成を示す平面図、図７はアクセスユニット３００の正面図である。    
図６及び図７に示すように、アクセスユニット３００では、光ディスクドライブ装置３１１、３１２がアクセスユニット３００の正面側から記録媒体の出し入れが可能なように並列に２台配置されている。なお、この光ディスクドライブ装置３１１、３１２に代えてハードディスクドライブ装置を配置しても勿論かまわない。
【００５９】
アクセスユニット３００の正面の下部右側から順番にＩＥＥＥ１３９４ポート３２０、２つのＵＳＢポート３３１、３３２、マイク端子３６１、ヘッドホン端子３６２が配置されている。これらのポートや端子の上には、第２の電源スイッチ３７０、更にその上にはマルチカードリーダ３４０のカード挿入口が配置されている。ＰＣＭＣＩＡカードバス３５０のカード挿入口及び残りの２つのＵＳＢポート３３３、３３４は、アクセスユニット３００の背面に配置されている。また、アクセスユニット３００内の背面側で光ディスクドライブ装置３１１、３１２の裏側の位置には冷却用のファン３８０が配置されている。
【００６０】
なお、メインユニット２００とアクセスユニット３００とを接続するためのケーブル４００は、メインユニット２００及びアクセスユニット３００のそれぞれの背面に設けられたケーブルコネクタ（図示せず）に接続されるようになっている。
【００６１】
図８はメインユニット２００の冷却制御系の構成及び冷却用の気体の流れを示した概念的な平面図である。    
メインユニット２００の第１の領域２５１のマザーボード２１０上にＣＰＵ２１２が配置され、横にはファン２５５が配置されている。このＣＰＵ２１２の近傍には、第１の領域２５１の温度、特にＣＰＵ２１２近傍の温度を検出するための温度センサ６０１が配置されている。マザーボード２１０上の拡張ボード用のソケットの近傍に第１の領域２５１の温度、特に、拡張ボード近傍の温度を検出するための温度センサ６０２が配置されている。メインユニット２００の第２の領域２５２の電源供給部２３０の中には、第２の領域２５２の温度、特に電源供給部２３０の内部、および流入する気体の温度を検出するための温度センサ６０３が配置されている。
【００６２】
この温度センサ６０１〜６０３の検出結果は、主としてＣＰＵ２１２から構成される制御部６０４に伝えられる。制御部６０４は、この検出結果に基づいてそれぞれの領域２５１、２５２等が所定の温度を超えないように、各ファン２５５、２５６、２６３の回転数を制御する。
【００６３】
メインユニット２００内では、上記のように第１の領域２５１と第２の領域とを実質的に遮蔽すると共に、第１の領域２５１と第２の領域２５２とで別個のファンを用いて冷却し、更には第１の領域２５１においては２つのファン２５５、２５６により領域を２つに分けて別々に冷却を行っている。
【００６４】
従って、図８に示するように主としてメインユニット２００内では３つの冷却気体の流れが生じる。ファン２５５により第１の領域２５１のＣＰＵ２１２を含んだメインユニット２００の正面から背面への冷却気体の流れ６１１、ファン２５６により第１の領域２５１の拡張ボードを含んだメインユニット２００の正面から背面への冷却気体の流れ６１２、ファン２６３により第２の領域２５２のメインユニット２００の正面から背面への冷却気体の流れ６１３の３つである。第２の領域２５２においては、正面が気体を流通させるための孔のないカバー２８２により覆われているため、第１の領域２５１の正面側からカバー２８２の裏面（ケース２６０の表面側）に流れ、第２の領域２５２内に気体が流れ込んでいく。
【００６５】
以上、説明したように本実施形態に係るパーソナルコンピュータ１００では、メインユニット２００に発熱量の大きく、ユーザの直接手に触れることがほとんどないデバイスである例えばマザーボード２１０や電源供給部２３０を配置し、アクセスユニット３００には発熱量が小さく、ユーザのアクセスの頻度の大きな着脱可能な記録媒体のドライブ装置である光ディスクドライブ装置３１１、３１２やマルチカードリーダ３４０を配置し、しかもメインユニット２００とアクセスユニット３００の両方に電源スイッチを設けたので、パーソナルコンピュータ１００内のデバイスの配置の自由度を高めて効率的な冷却を行うことが可能となり、パーソナルコンピュータ１００の電源のオン／オフの操作が容易となる。特に、アクセスユニット３００が通常ユーザの近くに配置されると想定されるので、アクセスユニット３００に電源スイッチを設けたことで、操作性が非常に向上する。ここで、パーソナルコンピュータ１００内のデバイスの配置の自由度とは、例えばメインユニット２００内をマザーボード２１０を第１の領域２５１に、電源供給部２３０やハードディスクドライブ装置２２１〜２２４を第２の領域２５２に配置し、例えばこれらの領域を遮蔽するようなことである。
【００６６】
また、本実施形態に係るパーソナルコンピュータ１００では、アクセスユニット３００はメインユニット２００の電源供給部２３０から電力が供給されようにし、１本のケーブル４００で、メインユニット２００とアクセスユニット３００とを間でデータのやり取り及びメインユニット２００の電源供給部２３０からアクセスユニット３００への電力の供給を行うようにしたので、配線をシンプルにすることができる。つまり、アクセスユニット３００に設けられた光ディスクドライブ装置３１１、３１２やマルチカードリーダ３４０をそれぞれ別個の装置としてそれぞれをメインユニット２００に接続するようにした場合に、データ線や電力線が非常に多くなってしまう。これに対して、本実施形態では、１本のケーブル４００を用いるだけでよくなる。
【００６７】
また、本実施形態に係るパーソナルコンピュータ１００では、パーソナルコンピュータ１００をメインユニット２００とアクセスユニット３００との２つの筐体を２つに分け、一方のアクセスユニット３００には、ユーザが頻繁にアクセスすることが想定される機能を集約し、他方のメインユニット２００には、ユーザが頻繁にアクセスをしないことが想定される機能を集約することで、一の筐体であるアクセスユニット３００をユーザの近くに、他の筐体であるメインユニット２００をユーザから離れた場所に置くことが可能ないわゆるレイアウトフリーな構成とすることができる。
【００６８】
更に、本実施形態に係るパーソナルコンピュータ１００では、メインユニット２００における気体の流れを正面側のから背面側に流通させるようにしたことで、メインユニット２００に筐体の側面を何れも載置面とさせることができ、筐体を縦置き、横置き何れも可能なレイアウトフリーな構成とすることができる。
【００６９】
なお、本発明は、上記の実施形態に限定されるものではなくその技術思想の範囲内で様々に変形して実施することが可能である。
【００７０】
上記実施形態では、メインユニット２００において第１の領域２５１と第２の領域２５２との間の遮蔽を、ケース２６０の第１の領域２５１側の壁及び遮蔽部材２６４の第１の領域２５１側の壁を使っていたが、当然１枚の遮蔽部材でこれらの領域間を遮蔽するようにしても勿論よい。
【００７１】
また、上記実施形態では、メインユニット２００において３つのファン２５５、２５６、２６３を用いていたが、ファンの数は２つでもいいし、４つ以上であっても勿論かまわない。また、冷却手段としては、ファンだけでなく、ヒートパイプなどの他の手段を用いても勿論かまわない。
【００７２】
更に、各ファン２５５、２５６、２６３の回転数は、各対応する位置に配置された温度センサにそれぞれ対応して制御してもいいし、各温度センサに重み付けしてそれぞれの検出結果を各ファン２５５、２５６、２６３の回転数の制御に反映させても勿論かまわない。
【図面の簡単な説明】
【００７３】
【図１】本発明の一実施形態に係るパーソナルコンピュータの構成を示すブロック図である。
【図２】図１に示したメインユニットの内部構成を示す平面図である。
【図３】図１に示したメインユニットの正面図である。
【図４】図２及び図３に示した第２の領域の構成を示す概略的斜視図である。
【図５】図１に示したメインユニットの外観を示す概略的斜視図である。
【図６】図１に示したアクセスユニットの内部構成を示す平面図である。
【図７】図１に示したアクセスユニットの正面図である。
【図８】図１に示したメインユニット内での冷却気体の流れを説明するための図である。
【符号の説明】
【００７４】
１００  パーソナルコンピュータ
２００  メインユニット
２１０  マザーボード
２１２  ＣＰＵ
２２１〜２２４  ハードディスクドライブ装置
２３０  電源供給部
２４０  第１の電源スイッチ
２５１  第１の領域
２５２  第２の領域
２５４  拡張ボード
２５５、２５６、２６３  ファン
２６０  ケース
２６４  遮蔽部材
２６５  孔
３００  アクセスユニット
３１１、３１２  光ディスクドライブ装置
３４０  マルチカードリーダ
３５０  ＰＣＭＣＩＡカードバス
３７０  第２の電源スイッチ
４００  ケーブル
６０１〜６０３  温度センサ
６０４  制御部
【図１】
2008090569.tif 000003
【図２】
2008090569.tif 000004
【図３】
2008090569.tif 000005
【図４】
2008090569.tif 000006
【図５】
2008090569.tif 000007
【図６】
2008090569.tif 000008
【図７】
2008090569.tif 000009
【図８】
2008090569.tif 000010